(57)【要約】【課題】浴槽に湯張り中に他栓側で湯を使用された場合でも注湯時間が短時間になるようにする。【解決手段】他栓検出手段１７によって他栓検出があった時間が記憶される。湯張り中に所定時間以上の他栓使用が連続あるいは断続的にあった場合には、注湯待機判定手段２２により、微調整湯張り手段２３に切換わる。浴槽水位検出手段１６により浴槽１３にはリモコン１により設定した水位になっていることを検出する。そしてこの後に保温のブザーによって報知する。【選択図】　図１
2004003769.tif 000002
【特許請求の範囲】
【請求項１】
給水された水を湯に換える熱交換器と、前記熱交換器を流れる流量を測定する流量検出手段と、前記熱交換器から浴槽に湯を注湯する注湯電磁弁と、前記給水の温度を検出する入水温度検出手段と、前記入水温度検出手段より注湯を決定する注湯温度決定手段を備えた給湯機の制御装置。
【請求項２】
浴槽以外に蛇口側で湯を使用していることを検出する他栓スイッチと、前記他栓スイッチの使用を判定する他栓検出手段を備えた請求項１記載の給湯機の制御装置。
【請求項３】
他栓検出手段により注湯を待機させるか否かを判定する注湯待機判定手段と、浴槽内の湯の量を検出する浴槽水位検出手段と、前記浴槽水位検出手段より浴槽への注湯量を演算する注湯量演算手段と、浴槽内に湯を注湯する際に短時間で注湯する短時間湯張り手段と、前記水位検出手段からの浴槽湯量を検出しながら浴槽内に湯を注湯する微調整湯張り手段を備えた請求項２記載の給湯機の制御装置。
【請求項４】
浴槽に注湯しているかを検出するふろ水流検出手段を備えた請求項３記載の給湯機の制御装置。
【請求項５】
浴槽の湯を循環する風呂循環ポンプと、浴槽の温度を検出する浴槽温度検出手段を備えた請求項４記載の給湯機の制御装置。
【発明の詳細な説明】
【０００１】
【発明の属する技術分野】
本発明は家庭用として普及した給湯機に関し、更に詳しくは給湯機の制御装置に関するものである。
【０００２】
【従来の技術】
従来、例えば、ガス給湯機では、浴槽に湯を張る際には、注湯時間を短縮するため所定量の湯を浴槽に張りその時の浴槽の水位とリモコンの設定水位の差分によりリモコンの設定水位までの注湯量を演算し注湯する際に、蛇口側に湯を使用された場合（他栓使用）、他栓使用が終了するまで注湯を待機し、他栓の使用が終了すると注湯を再開していた。
【０００３】
【発明が解決しようとする課題】
しかしながら、浴槽に湯張り中に、大量に他栓の蛇口側に湯を使用された場合、湯張りが完了するまで時間を要するという課題があった。
【０００４】
本発明は、上記課題を解決するもので、浴槽に湯張り中に、他栓の蛇口側に湯を使用された場合でも、注湯を待機せず湯張りが完了するまで時間を要さないようにすることを目的とする。
【０００５】
【課題を解決するための手段】
本発明は、上記課題を解決するために、給水からの水を湯に換える熱交換器と、前記熱交換器を流れる流量を測定する流量検出手段と、前記熱交換器から浴槽に湯を注湯する注湯電磁弁と、前記給水の温度を検出する入水温度検出手段と、前記入水温度検出手段より注湯を決定する注湯温度決定手段と、浴槽以外に蛇口側で湯を使用していることを検出する他栓スイッチと、前記他栓スイッチの使用を判定する他栓検出手段と、前記他栓検出手段により注湯を待機させるか否かを判定する注湯待機判定手段と、浴槽内の湯の量を検出する浴槽水位検出手段と、浴槽内の湯の量を検出する浴槽水位検出手段と、前記浴槽水位検出手段より浴槽への注湯量を演算する注湯量演算手段と、浴槽内に湯を注湯する際に短時間で注湯する短時間湯張り手段と、前記水位検出手段からの浴槽湯量を検出しながら浴槽内に湯を注湯する微調整湯張り手段を備えたものである。
【０００６】
本発明によれば、浴槽に湯張り中に、蛇口側に湯を使用された場合でも、注湯を待機せず湯張りが完了するまで時間を要さないことが出来る。
【０００７】
【発明の実施の形態】
本発明の第１の手段は、給水からの水を湯に換える熱交換器と、前記熱交換器を流れる流量を測定する流量検出手段と、前記熱交換器から浴槽に湯を注湯する注湯電磁弁と、前記給水の温度を検出する入水温度検出手段と、前記入水温度検出手段より注湯を決定する注湯温度決定手段を備えた制御装置。
【０００８】
また、第２の手段は、前記第１の手段の制御装置と浴槽以外に蛇口側で湯を使用していることを検出する他栓スイッチと、前記他栓スイッチの使用を判定する他栓検出手段を備えた制御装置。
【０００９】
また、第３の手段は、前記第２の手段の制御装置と前記他栓検出手段により注湯を待機させるか否かを判定する注湯待機判定手段と、浴槽内の湯の量を検出する浴槽水位検出手段と、浴槽内の湯の量を検出する浴槽水位検出手段と、前記浴槽水位検出手段より浴槽への注湯量を演算する注湯量演算手段と、浴槽内に湯を注湯する際に短時間で注湯する短時間湯張り手段と、前記水位検出手段からの浴槽湯量を検出しながら浴槽内に湯を注湯する微調整湯張り手段を備えた制御装置である。
【００１０】
また、第４の手段は、前記第３の手段の制御装置と浴槽に注湯しているかを検出するふろ水流検出手段を備えた制御装置である。
【００１１】
また、第５の手段は、前記第４の手段の制御装置と浴槽の湯を循環する風呂循環ポンプと、浴槽の温度を検出する浴槽温度検出手段を備えた制御装置である。
【００１２】
【実施例】
以下、本発明の自動湯張りの制御装置の実施例について説明する。
【００１３】
（実施例１）
図１、図２は、本発明の一実施例としての給湯機の構成図である。また図３は、短時間湯張り手段と微調整湯張り手段のフローチャートである。１はリモコンで、給湯機と通信を行い給湯温度、風呂温度、風呂水位などの設定や、自動湯張り、追いだき、の操作指示を行うものである。３は給湯熱交換器で水を湯に換える。
【００１４】
４は流量センサである。５は他栓スイッチで蛇口側に流量が流れた時オンする。６は注湯電磁弁で開けると浴槽１３に注湯する。７は風呂循環ポンプで浴槽１３の湯水の循環の有無を確認する。８は水位センサで浴槽１３に湯水がある場合にどの位あるか検出する。９はふろ熱交換器で、風呂循環ポンプ７を駆動させ、浴槽１３の湯水を湯に換える、また機器構成によっては、給湯熱交換器と供用することもある。１０は入水サーミスタある。１１はふろ水流スイッチである。１２はふろサーミスタである。１５は流量検出手段で流量センサ４の信号により給湯熱交換器３に流れる流量を検出する。１６は浴槽水位検出手段で水位センサ８の信号により浴槽１３の水位を検出する。１７は他栓検出手段で他栓スイッチ５の信号により他栓スイッチがオン／オフしたことの検出をおこなう。１８は浴槽温度検出手段で、風呂循環ポンプ７を駆動させ、浴槽１３の湯水の温度をふろサーミスタ１２より検出する。１９はふろ水流検出手段で、注湯電磁弁６を開け、浴槽１３に注湯する際に湯水が流れているか否かをふろ水流スイッチ１１により検出する。２０は入水温度検出手段で、入水サーミスタ１０により給水温度を検出する。２１は注湯温度決定手段で、入水温度検出手段２０や他栓検出手段１７と浴槽温度検出手段１８から注湯する際の注湯温度を決定する。２２は注湯待機判定手段で、他栓検出手段１７により所定時間他栓スイッチ５がオンした場合に注湯を待機するかどうかを判定する。
【００１５】
次に本発明の第１の手段の動作について説明する。リモコン１の自動スイッチをオンすると短時間湯張り手段２４により浴槽１０へ湯張りを開始する。この際、入水温度検出手段２０により入水温度に応じて注湯する際の注湯温度を注湯温度決定手段２１により決定する。入水温度が低いときは、リモコン１の浴槽設定温度よりＴ℃高く注湯することで、注湯中に放熱ロスが生じても、湯張り終了後には浴槽設定温度より大幅に低くなることはなく、湯張り終了後の沸きあげに時間を要することなく、短時間で自動運転を終了することができる。
【００１６】
第２の手段では、湯張り中に蛇口側で湯を使用されると、前記第１の手段により入水温度が低いときに、リモコン１の浴槽設定温度より２℃高く注湯すると、蛇口側に設定温度よりも２℃高い湯が出でしまう。また、蛇口側で湯を使われた際に注湯を待機してしまうと、湯張り待機時間が多くなり自動運転が終了するまで時間がかかってしまう。そのため湯張り中に蛇口側で湯を使用されると他栓スイッチ５のオンを所定時間検出すると他栓検出手段１７と注湯温度決定手段２１により入水温度に無関係に浴槽設定温度に戻して注湯することで、蛇口側で使用される湯もリモコン１の設定温度とすることができる。また、蛇口側で湯を使用された際も、湯張りを継続させることができ自動運転が終了するまで時間を短縮することができる。
【００１７】
第３の手段では、リモコン１の自動スイッチをオンすると短時間湯張り手段２４により浴槽１３へ湯張りを開始する。この際、蛇口側に他栓スイッチ５がオンしても湯張りを中断しないため、浴槽１３に流れる湯と、蛇口側に流れる湯と共取りとなり、流量検出手段１５は浴槽側と蛇口側との湯量を浴槽１３に注湯したと誤検出してしまう。その結果浴槽１３にはリモコン１により設定した水位より少ない湯量しか注湯されていないのに、保温のブザー報知してしまう。そこで注湯電磁弁６が開いる時に、他栓検出手段１７の他栓検出があった時間を記憶しておき、湯張り中に所定時間以上の他栓使用が連続あるいは断続的にあった場合には、注湯待機判定手段２２により、微調整湯張り手段２３に切換えると浴槽水位検出手段１６により浴槽１３にはリモコン１により設定した水位になっていることを検出後、保温のブザー報知できる。
【００１８】
第４の手段では、リモコン１の自動スイッチをオンすると短時間湯張り手段２４により浴槽１３へ湯張りを開始する。この際、蛇口側に他栓スイッチ５がオンしても湯張りを中断しないため、浴槽１３に流れる湯と、蛇口側に流れる湯と共取りとなる。しかし、浴槽１３に流れる流量が浴槽側の配管によっては抵抗をなって微少量しか流れない場合がある。この時は湯張りを待機させても、させなくても湯張りにかかる時間は変わらない。また、浴槽１３にはリモコン１により設定した水位より少ない湯量しか注湯されていないのに、保温のブザー報知してしまう。そこで注湯電磁弁６が開いる時に、ふろ水流スイッチ１１がオフであればふろ水流検出手段１９と注湯待機判定手段２２により、湯張りを待機させ、流量検出手段１５により流量が０Ｌ／分を検出すると湯張りを再開することで、浴槽１３にはリモコン１により設定した水位になっていることを検出後、保温のブザー報知できる。
【００１９】
第５の手段では、ふろ熱交換器９が、給湯熱交換器３と供用して使用する場合に給湯熱交換器３により加熱された湯が注湯電磁弁６を通って再度給湯熱交換器３を経由して浴槽１３に湯張りを行うため、蛇口側に他栓スイッチ５がオンしても湯張りを中断しないため、浴槽１３に流れる湯と、蛇口側に流れる湯と共取りしているので浴槽１３に流れる湯はリモコン１の設定温度以上となる。そこで、微調整湯張り手段２３で、ふろポンプ７を回転させ、ふろサーミスタ１２により浴槽温度を浴槽温度検出手段１８により検出し所定時間ポンプ循環させた際の浴槽温度を記憶（Ｔ〇）し、下記条件判定をおこない注湯温度決定手段２１により微調整湯張り時の注湯温度を決定し、湯張りを行うことで浴槽１３の温度はリモコン１により設定した温度とすることができる。
【００２０】
▲１▼設定温度＋α℃≦浴槽記憶温度（Ｔ〇）…注湯温度３５℃
▲２▼設定温度＋α℃＞浴槽記憶温度（Ｔ〇）…注湯温度リモコン１の設定温度
【００２１】
【発明の効果】
以上の説明から明らかなように、本発明による請求項１の制御装置は、冬期等の外気温度が低いときでも入水温度検出手段と注湯温度決定手段により、湯張り中に放熱ロスが生じても、短時間で自動運転を終了することができる。
【００２２】
請求項２の制御装置では他栓検出手段と注湯温度決定手段により入水温度に無関係に浴槽設定温度に戻して注湯することで、蛇口側で使用される湯もリモコンの設定温度とすることができる。また、蛇口側で湯を使用された際も、湯張りを継続させることができ自動運転が終了するまで時間を短縮することができる。
【００２３】
請求項３の制御装置は、湯張り中に蛇口使用された場合、他栓検出手段と注湯待機判定手段により、微調整湯張り手段によりリモコンの設定水位を検出後、保温のブザー報知を行うことでリモコン設定水位の湯張りが出来る。
【００２４】
請求項４の制御装置は、湯張り中に蛇口使用された場合、注湯側に流量が少量しか流れない場合は、ふろ水流検出手段と注湯待機判定手段により湯張りを待機させ、微調整湯張り手段によりリモコンの設定水位を検出後、保温のブザー報知を行うことでリモコン設定水位の湯張りが出来る。
【００２５】
請求項５の制御装置は、ふろ熱交換器と給湯熱交換器を供用して使用する場合で、湯張り中に蛇口使用された場合、浴槽温度検出手段と注湯温度決定手段により、湯張りを行うことで浴槽の温度はリモコンにより設定した温度とすることができる。
【図面の簡単な説明】
【図１】本発明の一実施例の給湯機の他の構成図
【図２】同給湯機の他の構成図
【図３】同給湯機の制御装置の短時間湯張り時のフローチャート
【符号の説明】
３　給湯熱交換器
４　水量センサ
５　他栓スイッチ
６　注湯電磁弁
７　風呂循環ポンプ
８　水位センサ
１０　入水サーミスタ
１１　ふろ水流スイッチ
１２　ふろサーミスタ
１３　浴槽
１５　流量検出手段
１６　浴槽水位検出手段
１７　他栓検出手段
１８　浴槽温度検出手段
１９　ふろ水流検出手段
２０　入水温度検出手段
２１　注湯温度決定手段
２２　注湯待機判定手段
２３　微調整湯張り手段
２４　短時間湯張り手段
【図１】
2004003769.tif 000003
【図２】
2004003769.tif 000004
【図３】
2004003769.tif 000005